(57)【特許請求の範囲】
【請求項１】
液体調味料容器の目詰まりを防止したい注出口や空気口に差し込んだ棒を、重力により作動する棒作動部にて液体調味料を注ぐ時に前後に移動させることにより、液体調味料の成分の析出を防いで、目詰まりを防止することを特徴とする目詰まり防止液体調味料容器。
【請求項２】
注出口用の棒と空気口用の棒を一体化することを特徴とする請求項１記載の目詰まり防止液体調味料容器。
【請求項３】
注出口用の棒と空気口用の棒を別体として、各々が同時に前進または後進することを特徴とする請求項１記載の目詰まり防止液体調味料容器。
【発明の詳細な説明】
【技術分野】
【０００１】
本発明は、食卓で使用する液体調味料容器の空気口や注出口が、液体調味料中の成分により目詰まりする事を防止するための目詰まり防止液体調味料容器に関する。
【背景技術】
【０００２】
従来の目詰まりを防止する液体調味料容器には、醤油の液体分の乾燥により、その液体中に溶解している塩分等が固体となって析出することを防止でき、この析出した塩分等が注ぎ口及び空気取り入れ口を塞がないようにすることを特徴とする容器がある（例えば、特許文献１参照。）。
【先行技術文献】
【特許文献】
【０００３】
【特許文献１】特開２００２−１１４２５１号公報（第６頁、００２９）
【発明の概要】
【発明が解決しようとする課題】
【０００４】
解決しようとする問題点は、特許文献１では、注ぎ口と空気取り入れ口を閉じることにより液体の乾燥を防止して、その液体中に溶解している塩分等が固体となって析出することを防止していたので、リンク機構が多く部品点数も多くなりコストが高くなるという点である。
【課題を解決するための手段】
【０００５】
本発明は、液体調味料容器の目詰まりを防止したい注出口や空気口に差し込んだ棒を、液体調味料を注ぐ時に前後に移動させることにより、多くのリンク機構を必要とせず、目詰まりを防止することを最も主要な特徴とする。
【発明の効果】
【０００６】
本発明の目詰まり防止液体調味料容器は、多くのリンク機構を必要とせず、液体調味料を注ぐたびに注出口や空気口に差し込んだ棒が前後に移動することで、少なくとも棒の移動する箇所に目詰まり成分が析出することが防止できるので好ましい。
【図面の簡単な説明】
【０００７】
【図１】図１は注出口用の棒と空気口用の棒を一体化した目詰まり防止液体調味料容器の例の断面図である。
【図２】図２は図１のＣ−Ｃ線で切断した例の断面図である。
【図３】図３は図１の上部であり、注出口を下に向けた例の断面図である。
【図４】図４は注出口棒と空気口棒が同時に前進または後進する例の断面図である。
【図５】図５は図４の上部であり、注出口を下に向けた例の断面図である。
【図６】図６は図４のリンクを変更し、注出口を斜め上に向けた例の断面図である。
【図７】図７は注出口が大きくて、空気口にのみ目詰まり防止用の棒を設けた例の断面図である。
【図８】図８は図７の注出口を下に向けた例の断面図である。
【図９】図９は棒にストッパーを設けた例の断面図である。
【図１０】図１０は図２の間隙に間隙狭小部を設けた例の断面図である。
【図１１】図１１は上下の間隙に間隙狭小部を設けた例の断面図である。
【発明を実施するための形態】
【０００８】
液体調味料容器の目詰まりを防止するという目的を、目詰まりを防止したい注出口や空気口に差し込んだ棒を、液体調味料を注ぐ時にリンクとウエイトを用いて前後に移動させる事で実現した。
【０００９】
以下に本発明の実施形態を、図面を参照しながら具体的に説明するがこの実施形態に限定されるものではない。図１は注出口２４用の棒と空気口２６用の棒を一体化して目詰まり防止棒５とした例の断面図であって、１は容器本体、２は蓋、３は棒作動部である。
【００１０】
蓋２はプラスチック製であり、棒作動部３はプラスチックの厚みを薄くしたヒンジ３６と間隙３７及びウエイト３４で構成され、蓋２と一体となるヒンジ３６を介して蓋２の内側上部から吊り下げてある。なお、ウエイト３４は棒作動部３に棒を作動させるために十分な重量があれば省略できる。
【００１１】
目詰まり防止棒５にはフランジＡ５３とフランジＢ５４が一体に設置してあり、目詰まり防止棒５は注出口２４と空気口２６に差し込んであり、注出口２４と空気口２６の口径は目詰まり防止棒５を差し込んでも機能が十分果たせる大きさに作成してある。
【００１２】
また本例では、棒作動部３の蓋２への取り付け位置が、容器本体１を食卓に置いた時にフランジＢ５４が空気口２６端部に当たりストッパーの機能を果たす位置に設けてある。そして注出補助口２５には防止棒注出口凸部５１１が突出し、空気補助口２７には防止棒空気口凸部５２１が突出して各補助口の目詰まりを防止している。
【００１３】
注出補助口狭小部２５１と空気補助口狭小部２７１は目詰まり防止棒５の径よりやや小さくしつらえてあり、目詰まり防止棒５を各狭小部から押し入れる事で、目詰まり防止棒５を保持している。
【００１４】
図２は図１のＣ−Ｃ線で切断した例の断面図であって棒作動部３の間隙３７が分かり易い。
【００１５】
図３は図１の上部であり、注出口を下に向けた例の断面図であって、目詰まり防止棒５は自身とウエイト３４の重さにより下がり、棒作動部３の間隙３７より大きいフランジＡ５３とフランジＢ５４に阻まれて降下が止まる。なお、蓋２に図８に示すストッパーＢ２３を設け降下を止める事も出来る。また、防止棒注出口凸部５１１や防止棒空気口凸部５２１を用いて降下を止める事も出来る。
【００１６】
容器本体１を傾けるにつれ、注出口２４と注出補助口２５からＡのように液体調味料が流出し、空気口２６と空気補助口２７からはＢのように空気が流入する。なお、注出補助口２５及び空気補助口２７は各々流量が確保できれば省略できる。
【００１７】
図４は注出口２４用の棒と空気口２６用の棒が分離した例の断面図であって、棒作動部軸３１は蓋２の内側で支持されている。また、注出口棒軸穴４２には注出口棒軸３２が、空気口棒軸穴４４には空気口棒軸３３が各々穴内を移動可能に差し込んである。
【００１８】
図５は図４の上部であり、注出口２４を下に向けた例の断面図であって、ウエイト３４が下がると注出口棒４１と空気口棒４３が内側に移動して、注出口２４と注出補助口２５からＡのように液体調味料が流出し、空気口２６と空気補助口２７からはＢのように空気が流入する。なお、注出補助口２５及び空気補助口２７は各々流量が確保できれば省略できる。また、本例ではストッパーＡ２２とストッパーＢ２３で注出口棒４１と空気口棒４３のストロークをコントロールしている。
【００１９】
図６は図４のリンクを変更し、注出口２４を斜め上に向けた例の断面図であって、ストッパーＢ２３と棒作動部凸部３５で注出口棒４１と空気口棒４３のストロークをコントロールしている。
【００２０】
図７は注出口２４が大きくて、空気口２６にのみ目詰まり防止用の棒を設けた例の断面図であって、空気口２６の内側端部が空気口２６側のストッパーも兼ねている例である。
【００２１】
図８は図７の注出口２４を下に向けた例の断面図であって、棒作動部３はストッパーＢ２３でストップさせられる。
【００２２】
図９は棒にストッパーを設けた例の断面図であって、ウエイト３４が下降限度に至る前に、テーパー状の注出口ストッパー４６と空気口ストッパー４７が、注出口２４と空気口２６を蓋２の内側から塞ぎつつストッパーをなしている。図９では注出補助口２５及び空気補助口２７が設けてないので外気の流入を防止できる。ただし、注出口２４と空気口２６において口径を大きくするなどして、流量が十分に確保出きる事が前提である。
【００２３】
図１０は図２の間隙３７に間隙狭小部３８を設けた例の断面図であって、間隙狭小部３８に目詰まり防止棒５を下から押し込んで、目詰まり防止棒５を保持している。
【００２４】
図１１は上下の間隙３７に間隙狭小部３８を設けた例の断面図であって、蓋２に保持された棒作動部軸３１を中心にしてウエイト３４の動きにつれ、注出口棒４１と空気口棒４３が動くのであるが、注出口棒４１と空気口棒４３を各々間隙狭小部３８から押し込んで注出口棒４１と空気口棒４３を保持している。
【００２５】
このようにして作成された目詰まり防止液体調味料容器は、注出口棒４１を不要とする程大きい注出口２４を持つ液体調味料容器においては注出口棒４１は不要であるが、液体調味料を注ぐたびに注出口２４や空気口２６に差し込んだ棒が前後に移動することで、少なくとも棒の移動する箇所に目詰まり成分が析出することが防止できて、多くのリンク機構を必要としないので、リンク機構が多く部品点数も多くなりコストが高くなるという問題点を解消できる。
【符号の説明】
【００２６】
１      容器本体
１１    容器本体おねじ
２      蓋
２１    蓋めねじ
２２    ストッパーＡ
２３    ストッパーＢ
２４    注出口
２５    注出補助口
２５１  注出補助口狭小部
２６    空気口
２７    空気補助口
２７１  空気補助口狭小部
２８    注出口棒受
３      棒作動部
３１    棒作動部軸
３２    注出口棒軸
３３    空気口棒軸
３４    ウエイト
３５    棒作動部凸部
３６    ヒンジ
３７    間隙
３８    間隙狭小部
４１    注出口棒
４２    注出口棒軸穴
４３    空気口棒
４４    空気口棒軸穴
４５    注出口棒軸受
４６    注出口ストッパー
４７    空気口ストッパー
５      目詰まり防止棒
５１    防止棒注出口部
５１１  防止棒注出口凸部
５２    防止棒空気口部
５２１  防止棒空気口凸部
５３    フランジＡ
５４    フランジＢ
５５    フランジＣ
５６    フランジＤ
５７    フランジＥ
５８    フランジＦ
【図１】
0005704489.tif 000002
【図２】
0005704489.tif 000003
【図３】
0005704489.tif 000004
【図４】
0005704489.tif 000005
【図５】
0005704489.tif 000006
【図６】
0005704489.tif 000007
【図７】
0005704489.tif 000008
【図８】
0005704489.tif 000009
【図９】
0005704489.tif 000010
【図１０】
0005704489.tif 000011
【図１１】
0005704489.tif 000012